Podtech/llm-jp-corpus-v4-ja_patent huggingface dataset:
(57)【要約】【課題】商品陳列時、使用時の収納でも安定した座りを有するとともに、商品販売の促進に繋がる販売容器に関する。【解決手段】前後に長方形の開口部を備えた外箱１に、商品３を納めた引き出し式の内箱２を挿入した販売容器を提供する。これにより、商品３の陳列時にも、あるいは使用時の収納にも安定した座りがあり、また、引き出し式の内箱２を使用しているので、引き出しを開けて中身がはじめて分るという、意外性も持たせることができ、商品販売の促進に繋がることになる。【選択図】図１
0003158024.tif 000002
【実用新案登録請求の範囲】
【請求項１】
前後に長方形の開口部を備えた外箱に、商品を納めた引き出し式の内箱を挿入した販売容器。
【請求項２】
上記販売容器がマッチ箱大である請求項１に記載の販売容器
【考案の詳細な説明】
【技術分野】
【０００１】
本考案は、販売容器に関するものである。
【背景技術】
【０００２】
文房具、例えば付箋、クリップ等の小物商品は、販売時に小分けして比較的小さい容器に入れて販売するようになっている。
【考案の概要】
【考案が解決しようとする課題】
【０００３】
しかしながら、これら容器は一枚の用紙を折って側面の１つを延設した蓋を持っており、開封後に机の上に置くと、座りが悪く、ましてや積み重ねることはできなかったり、あるいは、大きすぎたり、小さ過ぎたりして見栄えも芳しいものではなかった。
【０００４】
本考案は上記従来の構成に鑑みて提案されたものであって、小物の販売促進につながる販売箱であるとともに、使用時の収納性を高めた販売箱を提供することを目的とするものである。
【課題を解決するための手段】
【０００５】
上記目的を達成するために、本考案は以下の構成を採用している。すなわち、前後に長方形の開口部を備えた外箱に、商品を納めた引き出しし式の内箱を挿入したものである。
【０００６】
又、上記販売容器がマッチ箱大である。
【考案の効果】
【０００７】
本考案の構成により、商品陳列時にも、あるいは使用時の収納にも安定した座りがあり、また、引き出し式の内箱を使用しているので、引き出しを開けて中身がはじめて分るという、意外性も持たせることができ、商品販売の促進に繋がることになる。
【図面の簡単な説明】
【０００８】
【図１】本考案の実施の形態を示す第一の斜視図である。
【図２】本考案の実施の形態を示す第二の斜視図である。
【考案を実施するための形態】
【０００９】
図１、図２は、本考案の実施の形態を示す斜視図である。
【００１０】
前後に長方形の開口部を備えた筒体を外箱１とし、当該外箱１に対して、上面が開口した内箱２が、挿抜できる構成になっている。
【００１１】
上記内箱には、例えば細身の付箋（図１参照）やクリップ（図２参照）等の商品３が収納され、内箱２が外箱１から一部引き出されて商品が見える状態で店頭に陳列されたり、あるいは、内箱２が完全に外箱１に差し込まれて商品が隠れた状態で陳列される。
【００１２】
これを購入した消費者は、使用時に内箱２を一部引き出し、例えば付箋を数枚使用し、大半の残りを再び外箱１内に内箱２を完全に差し込んで、机の上あるいは引き出しに中にしまうようにするのであるが、このとき、外箱と内箱に分かれているので、同じ厚さの要旨で制作されていても、従来の箱に比べて強度があり、机の上、あるいは引き出しの中での座りがよく、扱う者に安定感、安心感を持たすことができることになる。この安定感は販売者の店頭で陳列されるときも同様である。
【００１３】
また、外箱１から一部引き出された内箱に、付箋やクリップが覗いて店頭に陳列されている状態は、消費者に意外性をあたえ、販売促進にもなる。
【００１４】
また、上記販売容器がマッチ箱大であれば、付箋やクリップ等の小物商品を容易に収納することが可能となるとともに、消費者に対する販売容器の取り扱い性を高めることが可能となる。
【産業上の利用可能性】
【００１５】
上記したように本考案は、販売時の陳列、使用時の収納に安定感があり、産業上の利用、特に販売促進に寄与する効果がある。
【符号の説明】
【００１６】
１  外箱
２  内箱
３  商品
【図１】
0003158024.tif 000003
【図２】
0003158024.tif 000004
(57)【要約】      （修正有）【課題】洋式トイレにおいての尿の拡散等  便器外にこぼれてしまうときに直接尿が床に落ち、床が汚れる事を防止するためのシートを提供する。【解決手段】表裏吸水性を持つ長方形のシートの長さＡの１／２の箇所にミシン目Ｃを入れ、さらに長さＢの辺の１／２の箇所Ｄと１／４の箇所Ｅにミシン目を入れる。使用する便器の形状に合わせ、適宜上記ミシン目Ｃ、Ｄ、Ｅ部分で切り離し、便器の周囲に敷きつめることができる様にして構成する。【選択図】図１
0003158089.tif 000002
【実用新案登録請求の範囲】
【請求項１】
便器の床  後部を全面的に覆う大型のシートである。
【請求項２】
中央部及びシート内部にミシン線を入れて便器の形にあわせて  切り離しできるシートである。
【請求項３】
素材を吸収シートとし便器  壁づたいにこぼれた尿をも吸収できるよう  表裏吸収可能な使い捨てのシートである。
【考案の詳細な説明】
【技術分野】
【０００１】  この考案は洋式トイレにおいての尿の拡散等  便器外にこぼれてしまうときに直接尿が床に落ち  床汚れを防止するときに使用するためのシートの形状に関する。
【背景技術】
【０００２】  従来の防止法としては前面及び横側にかけて設置し  繊維のマット式の物がほとんどである。
【考案の概要】
【考案が解決しようとする課題】
【０００３】  しかしながら、以上の技術によれば幼い男の子及び男子が便器外にこぼしてしまう尿の拡散範囲を防止するには狭く  頻繁にふき取り掃除も必要である。そこでこの考案は床の後部まで防止し、掃除の回数を減らしても床汚れを少なくできるためのシートを提供することを課題とする。
【課題を解決するための手段】
【０００４】  以上の課題を解決するために第一考案は洋式トイレの便器から後ろにかけての床を全面的に覆う形のシートとする。第二考案は便器の種類  大きさに適応しシートの中央で便器を挟む状況を作るためにミシン線を入れて形に応じて切り離すことを可能とするシートにする。さらに第三考案として素材を吸水シートとし便器及び壁づたいにこぼれた尿も吸収できるように表裏吸水可能な使い捨てのシートとする。
【考案の効果】
【０００５】  第一考案から第三考案によれば  飛び散り拡散をより広範囲に防止し  汚れも着きにくくなり掃除の手間も減り子育て中の主婦  年輩の屈みこむ姿勢の辛い主婦にとっても  便利なシートとなる。
【図面の簡単な説明】
【図１】  この考案の形態を上から見た図である。
【０００６】  全景は長方形である。【０００７】  Ａは最高値の長さとして概ね８０ｃｍ前後
Ｂは最高値の長さとして概ね７０ｃｍ前後
一般的なトイレの広さを基準とする。【０００８】  ＣはＡの長さの１／２の場所にミシン線を入れ切り離し可能なこととする。【０００９】  ＤはＢの長さの１／２
ＥはＢの長さの１／４の場所にそれぞれミシン線を入れ切り離し可能なこととする。
【図２】  この考案を使用したときの形態を上から見た図である。
【００１０】  全景はミシン線を線Ｃと線Ｄの交点まで切り離し  便器の形に合うように使用した図である。【００１１】  Ｆ及びＧは線Ｃと線Ｄの交点からそれぞれの便器に合うように適宜に線Ｄを切り離した図である。【００１２】  Ｈは一般的なトイレマットである。
【図３】
【００１３】  Ｉ及びＪは便座に沿って立ち上がるため  便座の足元も飛び散りを防止する。【００１４】  Ｋは便座である。
【符号の説明】
【００１５】  １    Ａ    シートの横幅
２    Ｂ    シートの縦幅
３    Ｃ    横幅の中心線でミシン線
４    Ｄ    縦幅の中心線でミシン線
５    Ｅ    縦幅の１／４線でミシン線
６    ＦＧ  Ｄ線に沿って適宜に切り開いた部分
７    Ｈ    一般的なトイレマット
８    ＩＪ  Ｃ線をＤ線まで切り開いた羽様の部分
９    Ｋ    一般的な洋式便器
【図１】
0003158089.tif 000003
【図２】
0003158089.tif 000004
【図３】
0003158089.tif 000005
【手続補正書】
【提出日】平成21年12月17日(2009.12.17)
【手続補正１】
【補正対象書類名】実用新案登録請求の範囲
【補正対象項目名】全文
【補正方法】変更
【補正の内容】
【実用新案登録請求の範囲】
【請求項１】
積層構造の吸水シートの中央部にミシン線を入れ、便器の形に合わせて切り離しできることを特徴とするシート。
【請求項２】
便器の床後部を全面的に覆うことを目的に、大型を特徴とする請求項１記載のシート。
【請求項３】
表裏吸収可能で使い捨て可能なことを特徴とする請求項１記載のシート。
(57)【要約】      （修正有）【課題】オートバイを使って前輪二輪の三輪オートバイを製作する一体型フレームを提供する。【解決手段】前後懸架・操縦・制動・走行装置一式およびドライブチェーン軌道変更ギアを装備したスイングアームジョイントと、スイングアームを装備する。【選択図】図１
0003158087.tif 000002
【実用新案登録請求の範囲】
【請求項１】
既存の前後懸架・走行・制動装置を外したオートバイ車両をオートバイ側の操縦装置と接合することで前輪二輪の三輪オートバイを製作する、汎用性があり均一した強度と性能を保つことが出来ることを特徴とした前輪二輪の三輪オートバイ用一体型フレームにおいて、前後懸架・操縦・制動・走行装置一式およびドライブチェーン軌道変更ギアを装備したスイングアームジョイントと、スイングアームを装備した前輪二輪の三輪オートバイ用一体型フレーム
【考案の詳細な説明】
【技術分野】
【０００１】オートバイを使って前輪二輪の三輪オートバイを製作するための汎用性に優れた技術に関する。
【背景技術】
【０００２】通常一般的な前輪二輪の三輪オートバイはフレーム前輪部に操縦・懸架・走行・制動装置を装着し接合することにより製作される。
このような構造の三輪オートバイ車両の場合、オートバイ側のフレーム補強やサブフレームの追加製作等をすることで旋回・制動・走行時に発生するストレスを軽減するはできるが、接合箇所がフレームのみであるため旋回・制動時に発生するストレスを軽減することはできない。
また、この製作方法では均一した強度も保つことはできず、オートバイのフレーム構造によっては製作さえできない車両が存在する。
【考案の概要】
【考案が解決しようとする課題】
【０００３】この考案はフレーム補強やスイングアーム等の追加製作の必要がなくオートバイフレームとエンジンを載せることで、前輪二輪の三輪オートバイを製作できる。
【課題を解決する手段】
【０００４】既存の前後懸架・走行・制動装置を外したオートバイ車両を前輪二輪の三輪オートバイ用一体型フレームに取り付けることで解決できる。
【考案を実施するための形態】
【０００５】前輪二輪の三輪オートバイ用一体型フレームの基盤となる二本のパイプ（２）に直交させた二枚のプレート（１）に、アッパーアーム（３）とロアアーム（４）を揺動するように装着し、ロアアームにフロントサスペンション（５）下側を、また二枚のプレート上部接合部にフロントサスペンション（５）上側をそれぞれ揺動するように装着する。
アッパーアーム（３）・ロアアーム（４）のそれぞれに上下揺動するように装着したハブプレート（６）に自動車用ホイールハブ（７）をボルトで固定し、ホイール（８）を装着したものが前輪部となり、これを左右対称で取り付ける。
【０００６】ステム部前方に装着した操舵軸（９）にスプライン勘合する汎用ユニバーサルジョイント（１０）を取り付け一体型フレーム前部より垂直に立ち上がった操舵シャフト（１１）に接合する。
操舵シャフト（１１）に取り付けられた操舵伝達プレート（１２）から左右にタイロット（１３）を接合しそれぞれのナックルアーム（１４）からハブプレート（６）へ接続することで操舵装置とする。
【０００７】一体型フレーム後部の二本のパイプを貫通させたフレームボックス（１５）の上にプレートＡ（１６）・プレートＢ（１７）・プレートＣ（１８）をパイプと平行に垂直方向に取り付け、そのプレートにシャフトＡ（２３）・シャフトＢ（２４）・シャフトＣ（２５）を貫通させる。
シャフトＡ（２３）にスイングアーム（２２）を取り付け、シャフトＣ（２５）でオートバイフレームピボット部とフレームボックス（１５）に取り付けたプレート（２６）を貫通させ接合する。
【０００８】プレートＢ（１７）・プレートＣ（１８）にシャフト（１９）を通しスプロケットＡ（２０）・スプロケットＢ（２１）を平行に取り付けてスプロケットＡ（２０）とドリブンスプロケットをドライブチェーンで繋ぐ。また、スプロケットＢ（２１）とオートバイエンジン側スプロケットをドライブチェーンで繋ぎ動力を伝達させ、軌道変更ギアとする。
【０００９】スイングアーム（２２）は同一規格の部品を汎用することでホイールベースの同一化を図る。
【考案の効果】
【００１０】走行時・制動時・旋回時等にかかる応力は前輪二輪の三輪オートバイ用一体型フレームにかかるので、オートバイ側に補強する必要がない。
また、本考案のフレームを使用した場合、いかなる車両で製作した場合でも前輪部・後輪部とも一体型フレーム上の定位置にくるため、ホイールベースおよびトレッドが同一寸法となる。さらに、汎用性があるのでいかなる車両でも大幅な改造の必要なく製作が可能であり、また均一した強度と性能を保つことができる。
【産業上の利用可能性】
【００１１】前輪二輪の三輪オートバイとしてフレーム強度が不足するオートバイでも製作が可能になり、また製作コストの削減にもつながる。
【図面の簡単な説明】
【図１】前面図
【図２】側面図
【図３】上面図
【符号の説明】１．フロントアーム支持プレート    ２．フレームパイプ    ３．アッパーアーム
４．ロアアーム        ５．フロントサスペンション    ６．ハブプレート
７．ホイールハブ      ８．ホイール    ９．操舵軸    １０．ユニバーサルジョイント
１１．操舵シャフト    １２．操舵伝達プレート        １３．タイロッド
１４．ナックルアーム  １５．フレームボックス  １６．プレートＡ  １７．プレートＢ
１８．プレートＣ  １９．ギアシャフト  ２０．スプロケットＡ  ２１．スプロケットＢ
２２．スイングアーム    ２３．シャフトＡ    ２４．シャフトＢ    ２５．シャフトＣ
２６．オートバイフレーム取付けプレート
【図１】
0003158087.tif 000003
【図２】
0003158087.tif 000004
【図３】
0003158087.tif 000005
【手続補正書】
【提出日】平成21年12月15日(2009.12.15)
【手続補正１】
【補正対象書類名】実用新案登録請求の範囲
【補正対象項目名】請求項１
【補正方法】変更
【補正の内容】
【請求項１】
前後懸架・走行・制動装置を外したオートバイ車両をオートバイ側の操縦装置と接合することで前輪二輪の三輪オートバイを製作する、汎用性があり均一した強度と性能を保つことが出来ることを特徴とした前輪二輪の三輪オートバイ用一体型フレームにおいて、前後懸架・操縦・制動・走行装置一式およびドライブチェーン軌道変更ギアを装備したスイングアームジョイントと、スイングアームを装備した前輪二輪の三輪オートバイ用一体型フレーム
(57)【要約】      （修正有）【課題】鮮やかなオリジナルの自分史、家族史、社史を創る事が出来る、１００年カレンダーアルバムを提供する。【解決手段】１００年カレンダーと、メモ欄、写真添付欄などオリジナルスペースを組み合わせる。【選択図】図１
0003158085.tif 000002
【実用新案登録請求の範囲】
【請求項１】
祝祭日を含む、１００年以上に渡り表示する長期カレンダーと、メモ欄、写真を添付するオリジナルスペースを組み合わせたアルバム。
【請求項２】
追加可能なアルバム素材を使用する事により、今後未来に渡り、オリジナリティ溢れるカレンダーページを追加する事も可能であるアルバム。
【考案の詳細な説明】
【技術分野】
【０００１】  本考案は、１００年以上に渡り表示する長期カレンダーを組み込ませたアルバムに関するものである。
【背景技術】
【０００２】  先行技術において、写真アルバムとカレンダーの組み合わせとしては、単年度のものがある。（例えば、特許文献１参照）。
又、複数年のカレンダーを使用したものとして、カレンダー手帳がある。（例えば、特許文献２参照）。
しかし、過去からの１００年間という長期カレンダーは、量が膨大である為、アルバムと組み合わせる商品がこれまで無かった。
【先行技術文献】
【特許文献】
【０００３】
【特許文献１】  公開実用新案公報  昭６０−９６０６０
【特許文献２】  実用新案登録第３１４８０９９号
【考案の概要】
【考案が解決しようとする課題】
【０００４】  過去のカレンダーは、普段なかなか目にする事の無いものである。
加えて、１００年にも渡る長期カレンダーは量が膨大である為、使い勝手の良い商品が無かった。
本考案は、前述の点を踏まえ、貴重な長期カレンダーに、写真スペースを組み合わせてアルバム化することにより、記録、記憶をより鮮やかに留める場を実現するものである。
【課題を解決するための手段】
【０００５】  本考案は、見開きのアルバムに、複数年ごとに分割した１００年カレンダーと、メモ欄、写真添付欄などオリジナルスペースを組み合わせるものである。
まず、見開きのページの片側１ページを１Ａとし、複数年のカレンダー１Ｄを、年号、干支欄１Ｃ、並びに各月ごとのメモスペース１Ｄａを組み合わせて配置する。
そしてもう片側のページを１Ｂとし、各年ごとの自由記入欄１Ｅ、写真添付スペース１Ｆを配置する。
上記１Ａと１Ｂは、左右逆の配置でも可能である。
これらの見開きページは、それぞれ透明シート１Ｇによりカバーされる。
【考案の効果】
【０００６】  貴重な過去カレンダーと所有の写真を見開きに配置する事で、鮮やかなオリジナルの自分史、家族史、社史を創る事が出来る。
この１００年以上に渡り表示する長期カレンダーを、写真アルバムのコンパクトサイズに収めることにより、すぐに手に取れる利便性が増し、個人史、家族史、社史など、貴重なそれぞれの歴史を把握する事が出来る。
同時に、これからのカレンダーと写真のページを追加する事により、過去から現在、未来へと歴史を重ねていく事が出来る。
長期カレンダーはともすると無味乾燥とした殺伐としたものになりがちであるが、数年単位に分割し、写真ページを組み合わせる事により、生き生きとした記録誌となる。又、敢えてアルバム化する事により、歴史の重みを感じる効果がある。
【図面の簡単な説明】
【０００７】
【図１】本考案の１００年カレンダーアルバムを開いた状態の紙面構成図である。
【図２】本考案の１００年カレンダーアルバムを閉じた状態の全体図である。
【考案を実施するための形態】
【０００８】  １００年以上に渡り表示する長期カレンダーと写真を添付するオリジナルスペースを組み合わせたアルバム。
カレンダーは数年ごと、出来れば５年ごとに分割し、それぞれ１ページに収める。
写真添付スペースは、写真等を自由に配置できるように、写真アルバム台紙を使用するのが望ましい。又、それぞれのページは劣化を防ぐ為に、写真を圧着後、透明シートで保護する。
【実施例】
【０００９】  以下、添付図面に従って実施例を説明する。
１Ａは、カレンダーアルバムの見開きページの内、複数年化カレンダー１Ｄと、年号、干支欄１Ｃ、並びに各月ごとのメモスペース１Ｄａと組み合わせて配置した片側のページである。
１Ｂは、カレンダーアルバムの見開きページの内、各年ごとの自由記入欄１Ｅ、写真添付スペース１Ｆを配置したもう片方のページである。
それぞれのページは、劣化を防ぐ為に透明シート１Ｇで保護する。
【産業上の利用可能性】
【００１０】  個人使用として、自分史、家族史、贈答品として使用。
企業使用として、社史、販売促進用の品として使用。
【符号の説明】
【００１１】  １Ａ：  見開きページの内、複数年カレンダーを配置したページ全体。
１Ｂ：  見開きページの内、写真添付スペースを配置したページ全体。
１Ｃ：  各年度の見出し。西暦、和暦、干支などを配置。
１Ｄ：  １年１２カ月分のカレンダー。１ページ内に複数年分配置。
１Ｄａ：各月ごとのメモスペース。各月カレンダーの下に配置。
１Ｅ：  各年ごとの自由記入欄。
１Ｆ：  写真添付スペース。
１Ｇ：  保護用透明シート。
２Ａ：  カレンダーアルバム本体を閉じた状態の表紙の正面図。
２Ｂ：  上記、１Ａ、１Ｂをカレンダーアルバム本体に格納した図。
ページ追加も可能。
【図１】
0003158085.tif 000003
【図２】
0003158085.tif 000004
【手続補正書】
【提出日】平成21年12月18日(2009.12.18)
【手続補正１】
【補正対象書類名】実用新案登録請求の範囲
【補正対象項目名】請求項２
【補正方法】変更
【補正の内容】
【請求項２】
追加可能なアルバム素材を使用する事により、今後未来に渡り、オリジナリティ溢れるカレンダーページの追加を実現する事を特徴とする、請求項１記載のアルバム。
(57)【要約】      （修正有）【課題】子供の遊び具として飽きにくく又壊れにくい風車を提供する。【解決手段】保形性を有する線材で形成された環部と当該環部の直径方向に架設されると共に一方が環部を超えて延伸する軸部と、前記環部内であってかつ当該軸部に直交して軸部の軸回りに回動自在に設けられた回転軸と、当該回転軸の両端にそれぞれ設けられた風車羽とからなる。【選択図】図１
0003158084.tif 000002
【実用新案登録請求の範囲】
【請求項１】
保形性を有する線材で形成された環部と当該環部の直径方向に架設されると共に一方が環部を超えて延伸する軸部と，前記環部内であってかつ当該軸部に直交して軸部の軸回りに回動自在に設けられた回転軸と、当該回転軸の両端にそれぞれ設けられた風車羽とからなる風車。
【請求項２】
前記軸部と環軸との交差部分に鈴を揺動自在に設けてなる請求項１に記載の風車。
【請求項３】
前記軸部において環部を超えて延伸した端部がフック形状に形成されている請求項１に記載の風車。
【考案の詳細な説明】
【技術分野】この考案は従来のかざぐるまを更に効率よく回転させる、ようにした風車に関するものである。
【背景技術】従来の風車は手持ちで風車の羽は正面を向いていることから、背後から風を送っても回転しない。
【考案の概要】
【考案が解決しようとする課題】従来の風車は羽を固定している軸回りに一方向だけしか羽が回転できないため子供の遊び具としては飽きが早い又壊れやすい。
本案はそのような欠点を除くために考案されたのである。
【課題を解決するための手段】上記課題を解決する為に、本考案では保形性を有する線材で形成された環部と当該環部の直径方向に架設されると共に一方が環部を超えて延伸する軸部と、前記環部内であってかつ当該軸部に直交して軸部の軸回りに回動自在に設けれた回転軸と、当該回転軸の両端にそれぞれ設けられた風車羽とからなる風車。
【図面の簡単な説明】
【図１】  正面図である。
【図２】  斜視図である。
【図３】  側面図である。
【図４】  平面図である。
【図５】  側面図である。
【図６】  斜視図である。
【考案を実施する為の形態】
弟１図（正面図）に示す様にカラー針金（１）を円形に交叉させてねじれ（２）を設ける。また当該円形部を径方向に貫通する軸部を設け、このねじれ（２）よりも上方を手持ち（１２）とする。そしてこの手持ち（１２）の先端にはフック（１１）を設ける。また軸部における円形部内に存在する中央に回転軸を設け全体として  ＋軸に構成し両側に風車羽（６）（６）’を取り付ける。
弟２図｛斜視図｝に示す様に風車羽の中心に設けている針金（５）の‘両端に風車羽を保持する小ワッシャ（７）とカラービニール管（８）を設ける。
以上の様に構成された風車の回転の仕方を図３〜６を参照しながら説明する。先ず図３に示す様に各風車羽は、それが軸着されている回転軸の軸回りに回転する。更に回転軸は図４に示す様に軸部を当該軸部の軸回りに回転する。その結果図６に示す様に回転軸の軸周りに回転している風車羽が更に軸部の軸回りに回転することができる。この時、図５、に示す様に、当該風車を横から見ると正面側の風車羽と裏側の風車羽とが逆方向に回転する。
本実施の形態に示す風車は以上の構造で使い方によっては次の効果がある。
（イ）・風車羽の回転効率がよいため子供から喜ばれることは勿論、鈴の音が聞かれるためストレスの解消に役立つ。
（ロ）・カラー針金の円形内で二つの風車羽を使用するため回転の効率や美しさが従来の風車より更によくなる。
（ハ）・手持ちで吹くと二つの風車羽が同時にタテ・ヨコと回転しながら鈴の音が聞かれる。またフックがあるためどんな所にも掛けられ便利である。
（二）・風車羽の中に設けている針金の両端に小ワッシャとカラービニール管で保持されているため風車羽の壊れが少ない。
更に本実施の形態に為る風車は以下の形態を備えている。
（イ）・カラー針金（１）を円形に交叉でねじれ（２）を設け、上下に折り曲げ上方のカラー針金には手持ち（１２）及びフック（１１）を設けるのに使用する。また下方のカラー針金は、円形内の中央部に＋軸に構成し両側に風車羽を相対して取り付ける。
（ロ）・＋軸等をカラービニール管（３）で使用する。
（ハ）・風車羽の中に設けている針金（５）の両端に風車羽を保持する小ワッシャ（７）とカラービニール管（８）を設ける。
（二）・軸中央部に糸（９）でカラーフル鈴（１０）を取り付ける。
（ホ）・上方にも手持ち（１２）にカラービニール管（３）を使用し先端にフック（１１）を設ける。
以上の如く構成された風車羽である。
【符号の説明】（１）はカラー針金  （２）はねじれ  （３）はカラービニール管  （４）はカラービニール管（ａ）  （５）は針金  （６）（６）’は風車羽  （７）は小ワッシャ  （８）（８）’はカラービニール管（ｂ）  （９）は糸  （１０）はカラーフル鈴  （１１）はフック  （１２）は手持ち  （Ａ）は円形部  （Ｂ）は回転軸  （Ｃ）は軸部材
【図１】
0003158084.tif 000003
【図２】
0003158084.tif 000004
【図３】
0003158084.tif 000005
【図４】
0003158084.tif 000006
【図５】
0003158084.tif 000007
【図６】
0003158084.tif 000008
【手続補正書】
【提出日】平成21年12月14日(2009.12.14)
【手続補正１】
【補正対象書類名】実用新案登録請求の範囲
【補正対象項目名】全文
【補正方法】変更
【補正の内容】
【実用新案登録請求の範囲】
【請求項１】
保形性を有する線材で形成された環部と当該環部の直径方向に架設されると共に一方が環部を超えて延伸する軸部と，前記環部内であってかつ当該軸部に直交して軸部の軸回りに回動自在に設けられた回転軸と、当該回転軸の両端にそれぞれ設けられた風車羽とからなる風車。
【請求項２】
前記軸部と回転軸との交差部分に鈴を揺動自在に設けてなる請求項１に記載の風車。
【請求項３】
前記軸部において環部を超えて延伸した端部がフック形状に形成されている請求項１に記載の風車。
(57)【要約】      （修正有）【課題】手持ち式電動工具類等を長時間使用する際に起こる腱鞘炎を予防し、少ない握力でそれらの工具類を保持し、作業能率を上げ、疲労も軽減できる手持ち式電動工具類等保持バンドを提供する。【解決手段】マジックテープ（登録商標）からなる手首バンドと、両端にそれぞれマジックテープを備えた幅広ゴムテープからなる指先バンドとの組み合わせで構成される。【選択図】図２
0003158090.tif 000002
【実用新案登録請求の範囲】
【請求項１】
マジックテープと幅広ゴムを利用することにより着脱、サイズ調整が片手で容易にでき、手首保持部分と指先保持部分に分かれた、手持ち式電動工具類を少ない握力で保持できる器具。
マジックテープ・・・（登録商標。衣類などに用いる着脱自在の布製のテープ。フック状とパイル状の二枚を噛み合わせる。）
【請求項２】
手首保持部分と指先保持部分のマジックテープは裏表共に全面使用して有り、左右・裏表・上下の区別なく使え、幅広ゴムテープを指先保持部分に使う事により手の大きさ、工具の大きさや形状に関係なくソフトに且つ強固に手持ち式電動工具等を保持できる。請求項１記載の工具保持器具。
【考案の詳細な説明】
【技術分野】
【０００１】  本考案は手持ち電動工具等の長時間使用による腱鞘炎の予防、疲労の軽減又、作業能率向上に係わるものである。
【背景技術】
【０００２】  従来、手持ち電動工具等は手に持ったり放したりを頻繁に行うため補助器具は使いにくい面が有った。
【考案の概要】
【考案が解決しようとする課題】
【０００３】  手持ち工具等の長時間使用による腱鞘炎を防ぐ事。【０００４】  疲労による握力不足から起こる作業ミスや事故を防ぐ事。【０００５】  手持ち工具等の形状、使用する人の寸法等に関係なく簡単に使える事。
【課題を解決するための手段】
【０００６】  本考案はマジックテープを使い着脱が簡単で寸法変化にも対応できる。【０００７】  指先部分に巾広ゴムテープを使うことによりソフトで強力な保持ができる。
【考案の効果】
【０００８】  手持ち工具等を長時間使用する事によって発生する腱鞘炎を防ぎ、疲労による握力の減退にともなう作業ミス・事故等を未然に防止できる。
【図面の簡単な説明】
【０００９】
【図１】本考案の保持バンドは２つの部分に分かれている。（ａ）は手首に巻く手首部分（手首バンド）の平面図である。（ｂ）は手首に巻いたバンドと手持ち電動工具等を握った指の上を結ぶ指先部分（指先バンド）の平面図である。
【図２】（ａ）、（ｂ）は図１（ａ）、（ｂ）の立体図と（ａ）、（ｂ）の使用時の合体図である。
【考案を実施するための形態】
【００１０】  本考案の保持バンドは２つの部分に分かれるので手首部分（手首バンド）と指先部分（指先バンド）を別々に説明する。
【００１１】  手首バンドは全面がマジックテープでできている。マジックテープはフック状とパイル状の２面でできているので、手首バンドの任意の表面をフック状に任意の裏面をパイル状の面にしてある。
それにより手首の太さに関係なく自由なサイズで固定できる。
【００１２】  手首バンドを装着すると任意の表面が全面フック状又はパイル状の状態で手首に固定される。
【００１３】  指先バンドの両マジックテープは任意の表面はフック状、任意の裏面はパイル状に作る。
【００１４】  指先バンドはマジックテープとマジックテープの間の部分が幅広ゴムテープでできている。
どちらか一方のマジックテープを手首バンドに接着する。手持ち電動工具等を持った指先に幅広ゴムテープが当たるように他のマジックテープの一方を工具等の形、重さを考慮して、適当な力でひっぱって手首バンドに接着する。
【００１５】  手首バンドのマジックテープ面がフック状の時は指先バンドのマジックテープのパイル状の面を合わせる。
手首バンドのマジックテープ面がパイル状の時は指先バンドのマジックテープのフック状の面を合わせる。
【００１６】  手首バンドは裏表気にせず装着できる。又、指先バンドは手首バンドの面を見てパイル状ならフック面をフック状ならパイル面を接着する。
【００１７】  手首バンド、指先バンド、共にリバーシブルで使用できる。
【実施例】
【００１８】  図２は本考案の装着状態である。
【符号の説明】
【００１９】    １．マジックテープ
２．幅広ゴムテープ
【図１】
0003158090.tif 000003
【図２】
0003158090.tif 000004
【手続補正書】
【提出日】平成21年12月10日(2009.12.10)
【手続補正１】
【補正対象書類名】実用新案登録請求の範囲
【補正対象項目名】全文
【補正方法】変更
【補正の内容】
【実用新案登録請求の範囲】
【請求項１】
マジックテープ（登録商標）からなる手首バンドと、両端にそれぞれマジックテープを備えた幅広ゴムテープからなる指先バンドとの組み合わせで構成される、手持ち式電動工具類を少ない握力で保持できることを可能にする、手持ち式電動工具類保持バンド。
(57)【要約】      （修正有）【課題】高い木の上や手の届きにくいところにある果実や、小枝がゆれて果実の位置が定まりにくいときなどでも、容易に採取ができる果実もぎ採り器具を提供する。【解決手段】棒５の先端に玉網状にした縁枠１を取り付け、玉網状にした縁枠１の一部２を細く折り曲げる。折り曲げた縁枠１の一部２の先端３を上向きに曲げる。玉網状にした縁枠１の周囲に袋状となるもの４を取り付ける。【選択図】図１
0003158093.tif 000002
【実用新案登録請求の範囲】
【請求項１】
玉網状にした縁枠（１）の一部（２）を細く折り曲げる。
【請求項２】
折り曲げた縁枠の一部（２）の先端（３）を上向きに曲げる。
【請求項３】
玉網状にした縁枠の周囲に袋状（４）となる、網状のものを取り付ける。
【考案の詳細な説明】
【技術分野】
【０００１】本考案は背丈よりも高い木に実った果実や、手の届かないところに実った果実を、玉網状のものを使って安全かつ容易に採取しようとするものである。
【背景技術】
【０００２】果実などをもぎ採る際は、挟み竹か足台などを使用していたが、上向きでの作業もあってなかなか困難である。
特に老人は足台にあがると足元がふらつき、足台も不安定な場所に据えることが多く危険でもある。
【考案の概要】
【考案が解決ようとする課題】
【０００３】樹木に実った果実を挟み竹で採るのも、容易には挟みきれず、途中で果実が外れて地面に落ちることもある。足台や脚立もふらつかないように、その都度、固定するのも面倒である。本考案は、この課題を解消したく考案たものである。
【課題を解消するための手段】
【０００４】棒５の先に玉網に似た縁枠１を取り付け、その縁枠の一部２をＵ字型に細く曲げ、その細い部分に果実の付け根を引き込み、Ｕ字型３で果実をもぎ採る。
【発明の効果】
【０００５】縁枠１には袋状の布か網４を取り付けておけば、もぎ採った果実はその中に入り、落下することなく、一度に何個かの果実をもぎ採ることもできる。
また、細く折り曲げたＵ字型３の部分を、上向きに曲げておけば、果実をより採り易くもなり、玉網状の中にすくい入れるようにして果実を採るので、採り易く危険もより避けられると思われる。
【図面の簡単な説明】
【０００６】
【図１】棒の先端に取り付けた玉網状の縁枠と、その縁枠の一部を細くＵ字型に折り曲げた平面図である。
【図２】棒の先端に取り付けた玉網状の縁枠と、その縁枠の一部を細くＵ字型に折り曲げ、更に折り曲げた先端部分を上向きに曲げ、縁枠に添っては袋状の網を取り付けた側面図である。
【符号の説明】
【０００７】１・・・・・・・玉網状にした縁枠線
２・・・・・・・玉網状にした縁枠線の一部を細長くＵ字型に折り曲げもの
３・・・・・・・Ｕ字型に折り曲げた縁枠線の先端部分を上向きに曲げたもの
４・・・・・・・縁枠線の周囲に袋状にして取り付けた網
５・・・・・・・玉網状にした縁枠線を取り付け、固定した棒
【図１】
0003158093.tif 000003
【図２】
0003158093.tif 000004
【手続補正書】
【提出日】平成21年12月16日(2009.12.16)
【手続補正１】
【補正対象書類名】実用新案登録請求の範囲
【補正対象項目名】全文
【補正方法】変更
【補正の内容】
【実用新案登録請求の範囲】
【請求項１】
棒（５）の先端に玉網状にした縁枠（１）を取り付け、前記玉網状にした縁枠（１）の一部（２）を細く折り曲げたことを特徴とする、果実もぎ採り用器具。
【請求項２】
前記折り曲げた縁枠（１）の一部（２）の先端（３）を上向きに曲げたことを特徴とする、請求項１に記載の果実もぎ採り用器具。
【請求項３】
玉網状にした縁枠（１）の周囲に袋状となるもの（４）を取り付けたことを特徴とする、請求項１または２に記載の果実もぎ採り用器具。
(57)【要約】      （修正有）【課題】乗り物の運行中、相互に電気エネルギーを受給電し、蓄電できるエコロジー処理コンピュータヴィークルシステムを提供する。【解決手段】電気エネルギー受給電を運行中の鉄道、自動車、飛行機、船等の乗り物相互で行うための給電用プラグと受給用ソケットを両方共有した乗り物に超電導コイル蓄電器を具備する。【選択図】図１
0003158092.tif 000002
【実用新案登録請求の範囲】
【請求項１】
電気エネルギーの受給電を運行中ののりもの相互で行うため給電側のりものの有するプラグと受電側のりものの有するソケットを接続させ双方の有する発電機（超伝導コイル蓄電機）でエネルギー受給電するエコロジー処理コンピュータヴィークルシステム。
【請求項２】
給電側のりもの（鉄道、自動車、飛行機、船）に給電用プラグを具備した事を特徴とする請求項１に記載のエコロジー処理コンピュータヴィークルシステム。
【請求項３】
電気エネルギーの受給電を目的として、発電機（超伝導コイル）を具備した事を特徴とする請求項１に記載のエコロジー処理コンピュータヴィークルシステム。
【請求項４】
受電側のりもの（鉄道、自動車、飛行機、船）に受電用ソケットを具備した事を特徴とする請求項１に記載のエコロジー処理コンピュータヴィークルシステム。
【考案の詳細な説明】
【技術分野】
【０００１】
本考案は、従来のエコロジー処理コンピュータヴィークルシステムとしての電気エネルギー受給電用プラグインソケットのエコロジー処理コンピュータヴィークルシステムに関する。
【背景技術】
【０００２】
受給電用プラグインソケットのエコロジー処理コンピュータヴィークルシステムは、給電側のプラグと受電側のりものの有するソケットによる受給電しているものである。
【考案の開示】
【考案が解決しようとする課題】
【０００３】
しかしながら、のりもの（鉄道、自動車、飛行機、船）が相互に運行している（走っているものどうし）の電気エネルギー受給電のNEEDSに対応できなかった。
【０００４】
本考案は上記実情に鑑みてなされたものであり、受電用ソケットと給電用プラグにより発電機（超伝導コイル蓄電機）に受給電する走行しているのりもののNEEDSに対応する事を目的としている。
【課題を解決するための手段】
【０００５】
上記目的を達成するため考案は、従来の受電用ソケットを有したのりものに給電用プラグを具備したのりものが走行中相対的に静止している状態の走行法により夫々が具備する発電機（超伝導コイル蓄電機）に受給電するものである。
【考案の効果】
【０００６】
本考案により、飛行している２機の航空機のように相互に走行しているのりもの（鉄道・自動車・飛行機・船）が走行中に電気エネルギーを受給電できるようになり、エンジン騒音や排気ガス公害のない電力によるエコロジー処理コンピュータヴィークルシステムのNEEDSに対応できる。
【図面の簡単な説明】
【０００７】
【図１】本考案のエコロジー処理コンピュータヴィークルシステムの実施の形態の一例を示す図である。エコロジー処理コンピュータヴィークルシステムは図１、に示すように、給電側のりもの１、受電側のりもの２、ソケット３、プラグ４、発電機（超伝導コイル蓄電機）５、で円内はプラグ４、とソケット３、の接続運動図例である。
【考案を実施するための形態】
【０００８】
本考案の実施の形態の一例について図面を参照しながら説明する。
エコロジー処理コンピュータヴィークルシステムは図１に示すように、給電側のりもの１、の有する発電機（超伝導コイル蓄電機）５、より給電側のりもの１、の有するプラグ４、と受電側のりもの２、の有するソケット３とを接続させる走行状態で、受電側のりもの２の有する発電機（超伝導コイル蓄電機）５、と受給電するエコロジー処理コンピュータヴィークルシステムでNEEDSへの対応としている。
【符号の説明】
【０００９】
１        給電側のりもの
２        受電側のりもの
３        ソケット
４        プラグ
５        発電機（超伝導コイル蓄電機）
【図１】
0003158092.tif 000003
【手続補正書】
【提出日】平成21年11月20日(2009.11.20)
【手続補正１】
【補正対象書類名】実用新案登録請求の範囲
【補正対象項目名】全文
【補正方法】変更
【補正の内容】
【実用新案登録請求の範囲】
【請求項１】
電気エネルギーの受給電を運行中の鉄道、自動車、飛行機、船等ののりもの相互で行なうため給電用プラグと受給用ソケットを両方共有した超電導コイル蓄電器を発電機とし、双方で受給電を可能とした構成のエコロジー処理コンピュータヴィークルシステム。
【手続補正書】
【提出日】平成22年1月8日(2010.1.8)
【手続補正１】
【補正対象書類名】実用新案登録請求の範囲
【補正対象項目名】請求項１
【補正方法】変更
【補正の内容】
【請求項１】
電気エネルギー受給電を運行中の鉄道、自動車、飛行機、船等ののりもの相互で行うため給電用プラグと受給用ソケットを両方共有したのりものに超電導コイル蓄電器を具備した構成のエコロジーとしてののりものの“共生”を具現するのりもの双方で受給電を可能としたエコロジー処理コンピュータヴィークルシステム。
(57)【要約】      （修正有）【課題】 コーンとコーンバーとからなるバリケードの利便性を生かしつつ、バリケード設置面近くの高さにもコーンバーが簡単に配置できるようにし、白杖使用者、子供、動物にもバリケードの存在が把握し易くなるようにしたバリケード・コーンバーを提供する。【解決手段】コーン３と、間隔を置いて並べた二つの前記コーンの間に上下二段にして架け渡し可能なコーンバー２とからなるバリケードであって、上下二ヶ所のバー端部の輪１が大きい下位のバーがコーン底部近の高さ位置に設けられていてコーン間に上下二段にしてコーンバーを架け渡したときの下段のコーンバーが、バリケード設置面から離れて且つバリケード設置面近傍の高さ位置で支持される構を備えることを特徴としてバリケードを構成する。【選択図】図１
0003158017.tif 000002
【実用新案登録請求の範囲】
【請求項１】
コーンと、間隔を置いて並べた二つの前記コーンの間に上下二段に二つの架け渡し可能なコーンバーとからなるバリケードであって、前記二つのコーンバーの両端部には、環状の係止体が設けられており、前記二つのコーンバーを前記コーン間に上下二段にしてコーンバーを架け渡したときの、下段の前記コーンバーは、バリケード設置面から離れて且つ、バリケード設置面近傍の高さ位置で支持される構成を備えることを特徴とするバリケード。
【考案の詳細な説明】
【技術分野】
【０００１】
本考案は工事などの作業区画と一般人が往来する歩道などの一般区画との間に置かれるバリケードに関するものである。
【背景技術】
【０００２】
従来、この種のバリケードにおいては、コーンを間隔を置いて並べ、両端に環状の係止体を配したコーンバーにおける前記係止体をコーンの頂部に上方から掛けるようにしてそのコーンバーを渡すものがあり、構成が簡単であって設置作業や撤去作業、運搬作業が容易となることから多く利用されている。例えば、特許文献１には、コーンと、間隔を置いて並べた二つのコーンの間に上下二段にして架け渡し可能なコーンバーとからなるバリケードであって、コーンは対向二方向の傾斜面部それぞれに上下二ヶ所にしてバー端部挿入孔を開口し、コーンバーはバー本体とこのバー本体の両端それぞれに位置してバー端部挿入孔に挿入して係止可能な係止体とを備えてなり、上下二ヶ所のバー端部挿入孔の内、下位のバー端部挿入孔がコーン底部近傍の高さ位置に設けられていて、並べ置いた二つのコーンそれぞれにおけるバー端部挿入孔に係止体を対応させてコーン間に上下二段にしてコーンバーを架け渡したときの下段のコーンバーが、バリケード設置面から離れて且つバリケード設置面近傍の高さ位置で支持される構成を備えることを特徴とするバリケード。
【先行技術文献】
【特許文献】
【０００３】
【特許文献１】実用新案登録第３１２７９８７
【考案の概要】
【考案が解決しようとする課題】
【０００４】
ところで、コーンを間隔を置いて並べてそのコーンの間それぞれにコーンバーを架け渡してなるバリケードにおいては、コーンバーの高さ位置がバリケード設置面から約６０ｃｍ位の高さとなっているが、目が不自由な白杖使用者にあっては白杖により歩行面近くで段差や障害物の存在を把握しているため、白杖の先端がコーンバーの下側に入り込むようなことがあると、そのバリケードの存在を早期に把握することが困難となり易く、バリケードに体が接触したり、バリケードにぶつかって仕切っている工事区画内へ転んだりするという可能性がある。その他、子供、動物の侵入し事故につながる可能性がある。なお、他の形式のバリケードにおいてはＭＡスタンドに上下二段にして単管を架け渡すタイプのものがあり、下段の単管がバリケード設置面に近い高さ位置に配置されるが、このバリケードではＭＡスタンド自体が自立せず、建設工事用の単管をＭＡスタンド側のクランプで固定するものであり、設定や撤去、運搬が容易に行なえるものではない。そこで本考案は上記事情に鑑み、コーンとコーンバーとからなるバリケードの利便性を生かしつつ、バリケード設置面近くの高さにもコーンバーが簡単に配置できるようにすることを課題とし、白杖使用者、子供、動物にもコーンとコーンバーとからなるバリケードの存在が把握し易くなるようにすることと、バリケード安定性を目的とするものである。
【課題を解決するための手段】
【０００５】
本考案は上記課題を考慮してなされたもので、コーンと、間隔を置いて並べた二つの前記コーンの間に上下二段にして架け渡し可能なコーンバーとからなるバリケードであって、上段のコーンバーは従来の物で、両端の輪が小さいので上部で止まる仕組みに成っている物に加えて、本考案は下段のコーンバーの両端が大きい輪になって、上部から簡単に設置できバリケード設置面近傍の高さ位置を簡単な設置作業や撤去作業、運搬作業を支持される構成を備えることを特徴とするバリケードを提供して、上記課題を解消するものである。
【考案の効果】
【０００６】
本考案によれば、バリケード設置面の近くに下段のコーンバーがあるため、白杖使用者が白杖の先端で前方の状況を探った場合、本バリケードがあると白杖の先端側に前記下段のコーンバーが接触することになり、また白杖で前方を探る操作をしているときに白杖の先端が多少上下動しても、下段のコーンバーがバリケード設置面に接しているものではないため、白杖の先端側が確実に下段のコーンバーに接触するようになり、障害物があることを早期に把握し易くなるなど、子供、動物等が潜り込むのを防ぐと共に、バリケード自体の安定性が良くなる、実用性に優れた効果を奏するものである。
【図面の簡単な説明】
【０００７】
【図１】本考案に係るバリケードの一例を示す説明図である。
【図２】コーンバーを示す説明図である。
【図３】コーンバーを掛け止めた状態を示す説明図である。
【図４】コーンバー端部を示す説明図である。
【考案を実施するための形態】
【０００８】
つぎに本考案を図1から図4に示す実施の形態に基づいて詳細に説明する。
図中１はバリケードで、図1に示すように該バリケードはコーン３と、このコーン３を間隔を置いて並べて隣り合う二つのコーン３の間に上下二段にして架け渡すコーンバー２とからなるものである。前記コーン３は円錐形に成っており上下二段にして用いるコーンバー２の両端1が輪になって（図2参照）。下段の両端1の輪が上段の両端の輪より大きく、下段と上段のコーンバーをコーン３の上から落し込む仕組みになっている。
【産業上の利用可能性】
【０００９】
本考案は工事などの作業区画と一般人が往来する歩道などの一般区画との間に置かれるバリケードに関するものである。
【符号の説明】
【００１０】
１  環状の係止体(バー端部)
２  コーンバー
３  コーン
【図１】
0003158017.tif 000003
【図２】
0003158017.tif 000004
【図３】
0003158017.tif 000005
【図４】
0003158017.tif 000006
(57)【要約】      （修正有）【課題】傘と鞄を同時に持つ場合に、両手がふさがる不便さを解消するため、傘と鞄を一体化させ、傘のサイズに応じてしっかりとホールドでき、鞄に吊り下げた時にも安定し、かつ濡れた傘が直接鞄に触れることを防ぐ傘ホルダーを提供する。【解決手段】吊り下げた傘と鞄との間を、ループ状にしたベルトで空間を設けることで、濡れた傘が鞄に触れることを防ぐ。また、このループ状ベルトにより、コンパクトな形状にすることが可能となる。傘のサイズに対応してしっかりとホールドできるよう、傘のホールド用ベルトはヒットテープによる圧着で、サイズに応じた調節を可能とする。鞄に吊り下げた傘が不安定にならないよう、厚みと幅のある耐久性の優れた化学繊維製ベルトを使用する。【選択図】図１
0003158067.tif 000002
【実用新案登録請求の範囲】
【請求項１】
この物品は、ヒットテープをつけた化学繊維製ベルトを用いて傘をホールドし、カラビナで鞄の持ち手部に引っかけることでで、傘と鞄を一体化させる傘ホルダーである。なお、濡れた傘が鞄に触れないよう、ベルトをループ状にした接触防止用ハカマを設け、鞄下の傘の出ができるだけ短くなるよう、斜めの形状をしたカラビナを用いている。
【考案の詳細な説明】
【技術分野】
【０００１】  本考案は、傘と鞄を同時に持つ場合に、両手がふさがる不便さを解消するための傘ホルダーに関する器具である。
【背景技術】
【０００２】  従来の傘ホルダーには底のない筒型の通気性に優れたコンパクトな構造を特徴とするものがある（例えば、特許文献１）。
また、本体にクリップとラバーシートを付けたことを特徴とするものがある（例えば、特許文献２）。
【先行技術文献】
【特許文献】
【０００３】
【特許文献１】特許公開２００７−５０２２４
【特許文献２】特許公開２００３−１２５９１５
【考案の概要】
【考案が解決しようとする課題】
【０００４】  濡れた傘が鞄に触れないようにする。
傘のサイズに合わせてしっかりとホールドできるようにする。
鞄に吊り下げた傘が不安定にならないようにする。
傘を吊り下げない時でも鞄にホルダーをかけておけるよう、できるだけコンパクトなデザインにする。
【課題を解決するための手段】
【０００５】  吊り下げた傘と鞄との間を、ループ状にしたベルトで空間を設けることで、濡れた傘が鞄に触れることを防ぐ。また、このループ状ベルトにより、本考案をコンパクトな形状にすることが可能となる。
傘のサイズに対応してしっかりとホールドできるよう、傘のホールド用ベルトはヒットテープによる圧着で、サイズに応じた調節を可能とする。
鞄に吊り下げた傘が不安定にならないよう、厚みと幅のある耐久性の優れた化学繊維製ベルトを使用する。
【考案の効果】
【０００６】  本体部材を厚み・幅のある耐久性に優れた化学繊維製ベルトを使用したことで、傘の吊り下がりが不安定になることを解消できた。
傘のホールド用ベルトはヒットテープによる圧着とすることで、傘のサイズに合わせてしっかりとホールドできるようになった。
ループ状ベルトを考案したことで、濡れた傘が鞄に触れることを防ぎ、かつ本商品をコンパクトにすることができた。
【考案を実施するための形態】
【０００７】  同幅で長さの異なる２本の化学繊維性ベルトを直角に交わらせ、長い方のベルトは上部はカラビナを巻き込み、下部は巻き込んでループを形成し、巻き込んできた端部どおしを付き合わせて縫製するものである。
【図面の簡単な説明】
【０００８】
【図１】本考案の鞄に傘をぶら下げる傘ホルダー（表面）を示す
【図２】本考案の鞄に傘をぶら下げる傘ホルダー（裏面）を示す
【符号の説明】
【０００９】  １  本体ベルト
２  吊り下げ用カラビナ
３  傘ホールド用ベルト
４  ループ部分
５  ヒットテープ
【図１】
0003158067.tif 000003
【図２】
0003158067.tif 000004
【手続補正書】
【提出日】平成21年10月1日(2009.10.1)
【手続補正１】
【補正対象書類名】実用新案登録請求の範囲
【補正対象項目名】全文
【補正方法】変更
【補正の内容】
【実用新案登録請求の範囲】
【請求項１】
本物品は縦方向の広幅化学繊維製ベルトとそれに直交して縫いつけた横手方向の広幅化学繊維製ベルトから構成しており、両端部にヒットテープを縫いつけた横手方向の広幅化学繊維製ベルトを用いて傘をホールドすることを特徴とする、鞄に傘をぶら下げる傘ホルダー。
【請求項２】
横手方向の広幅化学繊維製ベルトに直交して縫いつけた縦方向の広幅化学繊維製ベルトの下部をループ状に縫いつけることで、ホールドした傘と鞄との間に空間をつくり、濡れた傘が直接鞄に当たることを防ぐことを特徴とする、請求項１記載の鞄に傘をぶら下げる傘ホルダー。
【請求項３】
鞄への装着は、縦方向の広幅化学繊維製ベルトの上部に巻き込んで取り付けたカラビナまたは樹脂製バックル付きの細幅化学繊維製ベルトの何れかを鞄の持ち手につり下げることで傘と鞄を一体化させることを特徴とする、請求項１乃至請求項２記載の鞄に傘をぶら下げる傘ホルダー。
【手続補正書】
【提出日】平成21年12月14日(2009.12.14)
【手続補正１】
【補正対象書類名】実用新案登録請求の範囲
【補正対象項目名】全文
【補正方法】変更
【補正の内容】
【実用新案登録請求の範囲】
【請求項１】
本物品は縦方向の広幅化学繊維製ベルトとそれに直交して縫いつけた横手方向の広幅化学繊維製ベルトから構成しており、両端部にヒットテープを縫いつけた横手方向の広幅化学繊維製ベルトを用いて傘をホールドすることを特徴とする、鞄に傘をぶら下げる傘ホルダー。
【請求項２】
横手方向の広幅化学繊維製ベルトに直交して縫いつけた縦方向の広幅化学繊維製ベルトの下部をループ状に縫いつけることで、ホールドした傘と鞄との間に空間をつくり、濡れた傘が直接鞄に当たることを防ぐことを特徴とする、請求項１記載の鞄に傘をぶら下げる傘ホルダー。
【請求項３】
鞄への装着は、縦方向の広幅化学繊維製ベルトの上部に巻き込んで取り付けたカラビナまたは樹脂製バックル付きの細幅化学繊維製ベルトの何れかを鞄の持ち手につり下げることで傘と鞄を一体化させることを特徴とする、請求項１または２記載の鞄に傘をぶら下げる傘ホルダー。